(57)【要約】【課題】弁体及び弁座の間に異物が堆積することを抑制して弁体が弁座に当接したときに確実に止水する。【解決手段】消火栓１は、水が流れる水道管に接続され且つ水道管を流れる水が流入する流入部１０と、流入部１０を介して水道管に対向するように流入部１０に接続される弁座２５とを備え、流入部１０は流入部１０に流入した水が通過する内壁１０ｃを有し、内壁１０ｃは内壁１０ｃに沿って螺旋状に形成される螺旋溝１０ｆを有する。【選択図】図２
2018135907.tif 000002
【特許請求の範囲】
【請求項１】
水が流れる管路に接続される消火栓において、
前記管路に接続され、前記管路を流れる水が流入する流入部と、
前記流入部を介して前記管路に対向するように前記流入部に接続される弁座と、を備え、
前記流入部は、前記管路から流入した水が通過する通過壁を有し、前記通過壁に沿って螺旋状の溝が形成されていることを特徴とする消火栓。
【請求項２】
前記通過壁は、前記管路側の第１の端部及び前記弁座側の第２の端部を備え、
前記第１の端部によって囲まれている領域の面積は、前記第２の端部によって囲まれる領域の面積よりも小さいことを特徴とする請求項１記載の消火栓。
【請求項３】
前記弁座に接離可能な弁体をさらに備え、
前記弁座は、前記流入部から流入した水が通過するための貫通孔を有する円環であって、前記流入部に接合される第１の弁座端部、前記弁体が当接する当接面、及び前記当接面を介して前記第１の弁座端部に対向する第２の弁座端部を備え、
前記第１の弁座端部によって囲まれている領域の面積は、前記第２の弁座端部によって囲まれる領域の面積よりも小さいことを特徴とする請求項１又は２記載の消火栓。
【請求項４】
前記弁体は、
前記当接面に対応する第１の接触面と、
前記当接面に対応するとともに、前記第１の接触面に対向する第２の接触面を備え、
前記第１の接触面が前記当接面に当接するように配置されると、前記第２の接触面は前記当接面に接触せず、前記第２の接触面が前記当接面に当接するように配置されると、前記第１の接触面は前記当接面に接触しないことを特徴とする請求項３記載の消火栓。
【請求項５】
水が流れる管路に接続される消火栓において、
前記管路に接続され、前記管路を流れる水が流入する流入部と、
前記流入部を介して前記管路に対向するように前記流入部に接続される弁座と、を備え、
前記流入部は、螺旋状の流路を有し、前記流路は前記水が流入するための流入口を前記管路側の端部に有するとともに、前記流入口から流入した水を吐出するための吐出部を前記弁座側の端部に有することを特徴とする消火栓。
【請求項６】
前記螺旋状の流路は、螺旋状に巻回されたＵ字溝又は管であることを特徴とする請求項５記載の消火栓。
【請求項７】
前記弁座に接離可能な弁体をさらに備え、
前記弁座は、前記流入部から流入した水が通過するための貫通孔を有する円環であって、前記流入部に接合される第１の弁座端部、前記弁体が当接する当接面、及び前記当接面を介して前記第１の弁座端部に対向する第２の弁座端部を有し、
前記第１の弁座端部によって囲まれている領域の面積は、前記第２の弁座端部によって囲まれる領域の面積よりも小さいことを特徴とする請求項５又は６記載の消火栓。
【請求項８】
前記弁体は、
前記当接面に対応する第１の接触面と、
前記当接面に対応するとともに、前記第１の接触面に対向する第２の接触面を備え、
前記第１の接触面が前記当接面に当接するように配置されると、前記第２の接触面は前記当接面に接触せず、前記第２の接触面が前記当接面に当接するように配置されると、前記第１の接触面は前記当接面に接触しないことを特徴とする請求項７記載の消火栓。
【請求項９】
前記弁体を前記弁座に案内する弁棒をさらに備え、
前記吐出部は前記弁棒に対して傾斜することを特徴とする請求項７又は８記載の消火栓。
【発明の詳細な説明】
【技術分野】
【０００１】
本発明は水道管に接続される消火栓に関する。
【背景技術】
【０００２】
従来より、例えば、地下に埋設された水道管に接続され、消火に使用される水を放水する消火栓が知られている（例えば、特許文献１参照）。特許文献１の消火栓は、水道管の水が流入する流入部と、該流入部に流入した水を外部に放水する放水部と、を備え、流入部と放水部との間には、弁箱が設けられている。
【０００３】
弁箱の内部には、弁体、弁座、及び弁棒等が配置されている。弁体は、弁箱の内部の弁棒に沿って一方向（以下、「弁体移動方向」という。）に移動する。弁座は弁体移動方向に直交する方向へと広がる部材であり、弁体は弁体移動方向に移動して弁座に当接する。流入部から流入した水は、弁体が弁座に当接しているとき、弁体で止水され、弁体が弁座に当接していないとき、放水部から放水される。
【０００４】
ところで、流入部から流入する水には、砂や水道管内部の錆等の異物が含まれていることがある。当該異物は、弁体が弁座に当接していないとき、流入部から流入した水と共に放水部から消火栓の外部に排出されるが、異物の一部が弁座に残る場合がある。そのため、弁体が弁座に当接しても弁体及び弁座は異物を挟持し、弁体及び弁座の密閉性能は低下する。その結果、流入部から流入した水は弁体で確実に止水されない。
【０００５】
これに対応して、特許文献１の消火栓は弁体に異物補足部を設けている。異物補足部は、弁体及び弁座が異物を挟持したとき、異物の形状に応じて変形するため、弁体が弁座に当接したときの弁体及び弁座の密閉性は確保され、流入部から流入した水は弁体で確実に止水される。
【先行技術文献】
【特許文献】
【０００６】
【特許文献１】特開平１１−１０８２４２号公報
【発明の概要】
【発明が解決しようとする課題】
【０００７】
しかしながら、流入部から放水部に向かって流れる水の圧力は低く、弁座の周辺では、水の流動性が低いため、異物は放水部から水と共に排出されず、弁座上及びその周辺に堆積する。弁座上及びその周辺に堆積する異物が増加すると、異物補足部を弁体に設けても弁体が弁座に当接したときの弁体及び弁座の密閉性が確保できないため、弁体は流入部から流入した水を確実に止水することができない。
【０００８】
すなわち、弁体及び弁座の間に異物が堆積することを抑制して弁体が弁座に当接したときに確実に止水することができないという問題がある。
【０００９】
本発明の目的は弁体及び弁座の間に異物が堆積することを抑制して弁体が弁座に当接したときに確実に止水することができる消火栓を提供することにある。
【課題を解決するための手段】
【００１０】
上記目的を達成するために、請求項１に係る消火栓は、水が流れる管路に接続される消火栓において、前記管路に接続され、前記管路を流れる水が流入する流入部と、前記流入部を介して前記管路に対向するように前記流入部に接続される弁座と、を備え、前記流入部は、前記管路を流れる水が通過する通過壁を有し、前記通過壁に沿って螺旋状の溝が形成されていることを特徴とする。
【００１１】
上記目的を達成するために、請求項５に係る消火栓は、水が流れる管路に接続される消火栓において、前記管路に接続され、前記管路を流れる水が流入する流入部と、前記流入部を介して前記管路に対向するように前記流入部に接続される弁座と、を備え、前記流入部は、螺旋状の流路を有し、前記流路は前記水が流入するための流入口を前記管路側の端部に有するとともに、前記流入口から流入した水を吐出するための吐出部を前記弁座側の端部に有することを特徴とする。
【発明の効果】
【００１２】
本発明によれば、弁体及び弁座の間に異物が堆積することを抑制して弁体が弁座に当接したときに確実に止水することができる。
【図面の簡単な説明】
【００１３】
【図１】本発明の第１の実施の形態に係る消火栓の上面図である。
【図２】図１におけるＡ−Ａ線に沿う断面図である。
【図３】図２における流入部及びその周辺の拡大図である。
【図４】本発明の第２の実施の形態に係る消火栓を説明するための図である。
【図５】図４の消火栓における流入部及びその周辺の拡大図である。
【図６】図５における矢印Ｂの方向から消火栓の底部を眺めた図である。
【図７】図５における矢印Ｃの方向から流入部の方向を眺めた図である。
【発明を実施するための形態】
【００１４】
以下、本発明の第１の実施の形態について図面を参照しながら説明する。
【００１５】
図１は本発明の第１の実施の形態に係る消火栓１の上面図であり、図２は図１におけるＡ−Ａ線に沿う断面図である。
【００１６】
図１及び図２の消火栓１は、略円筒状であって中心軸を備える流入部１０、放水部２、蓋部３０、及び弁箱２０を備え、地下に埋設されている図示しない水道管（管路）に、例えば、継手管であるフランジ部を有するフランジ付Ｔ字管（不図示）を介して接続されている。
【００１７】
流入部１０は、フランジ付Ｔ字管を介して水道管に接続され、水道管を流れる水は流入部１０から消火栓１の内部に流入する。流入部１０は水道管側の端部にフランジ部１０ａを備え、フランジ部１０ａは複数のボルト孔１０ｂを有し、各ボルト孔１０ｂは等間隔に配置されている。また、フランジ付Ｔ字管のフランジ部は各ボルト孔１０ｂに対応するボルト孔を有する。フランジ部１０ａ及びフランジ付Ｔ字管は、各ボルト孔１０ｂ及びフランジ付Ｔ字管のフランジ部に設けられたボルト孔に挿通されたボルトとナットを用いて固定される。
【００１８】
弁箱２０は流入部１０に接続され、水道管から流入部１０に流入した水は後述の弁体４０と弁座２５との関係に基づいて弁箱２０の流入部１０側の端部（以下、「流入部側端部２２」という。）から弁箱２０に流入する。弁箱２０は流路２０ａ及び止水機構構成部２０ｂを備え、止水機構構成部２０ｂは弁座２５、弁棒３３、弁棒３３を支持する支持部３１、及び弁体４０を備える。
【００１９】
弁座２５は流入部側端部２２に設けられる貫通孔を有する円環であり、弁体４０が接離可能な当接面２８、当接面２８の流入部１０側の弁座端部２６（第１の弁座端部）、及び当接面２８を介して弁座端部２６に対向する弁座他端部２７（第２の弁座端部）を備える。当接面２８は鉛直方向及び水平方向のそれぞれに関して傾斜し、弁座端部２６で囲まれる円形領域の面積が弁座他端部２７で囲まれる円形領域の面積よりも小さくなるようにテーパー状に構成されている。弁体４０が当接面２８に当接するとき、流入部１０を流れる水は弁箱２０へ流入せず、弁体４０が当接面２８に当接しないとき、流入部１０を流れる水は弁箱２０へ流入して流路２０ａ及び止水機構構成部２０ｂを充たし、その後、放水部２から放水される。なお、本実施の形態では、鋳鉄製の弁箱２０にステンレス製の弁座２５が形成されていることを前提とする。
【００２０】
弁棒３３は一端に、例えば、ボルト３７によって固定される弁体４０を有し、他端にユーザが弁棒３３を回転操作するためのキャップ３４を有する。また、弁棒３３は、その中央付近に、弁棒３３を回転可能に支持する軸受部３１ａと、軸受部３１ａよりも弁体４０側に配置される雌ねじ部３１ｂとからなる支持部３１を有し、支持部３１の中央を貫通する。さらに、弁棒３３は、その側部に雌ねじ部３１ｂに螺合可能な雄ねじ部３３ａを有する。雄ねじ部３３ａが雌ねじ部３１ｂに螺合され、ユーザがキャップ３４を回転操作すると、弁棒３３は回転し、支持部３１に沿って鉛直方向に案内される。
【００２１】
弁体４０は中空部を有するとともに、中空部を挟持するように上面及び下面の２つの面を有し、略円盤形状に構成される。弁体４０の上面及び下面のそれぞれの中央部には凹部４０ａが形成されるとともに、弁体４０（凹部４０ａ）の中心を貫通する弁体貫通孔４０ｂが形成されている。上述したように、弁体４０はボルト３７によって弁棒３３に取り付けられているが、具体的には、ボルト３７は弁体４０の下面側から弁体貫通孔４０ｂに挿入され、弁体４０の上面から突出したボルト３７の一部がワッシャ３６を介して弁棒３３の一端に設けられたボルト３７に対応するボルト穴に螺合される。
【００２２】
弁体４０の下面は弁座２５に当接する弁体弁座４１（第１の接触面）を備え、弁体弁座４１は弁座２５の傾斜に対応するように傾斜する。また、弁体４０は、対称面Ｐを有し、弁体４０の上面及び弁体４０の下面が対称面Ｐに関して面対称となるように構成されている。すなわち、弁体４０の上面の形状及び弁体４０の下面の形状は同一に構成され、弁体４０の上面は弁体弁座４１に対向する予備弁体弁座４２（第２の接触面）を有する。本実施の形態では、弁体弁座４１が弁座２５（当接面部２８）に当接するように配置されるとともに、予備弁体弁座４２が弁座２５に接触しないように配置されているが、予備弁体弁座４２が弁座２５に当接するように配置されるとともに、弁体弁座４１が弁座２５に接触しないように配置されてもよい。これにより、弁体４０の下面が弁座２５に接触するように弁体４０が弁棒３３に取り付けられなければならないところ、誤って弁体４０の上面が弁座２５に接触するように弁体４０が弁棒３３に取り付けられた場合であっても、弁体４０は弁座２５に当接して止水するとともに、弁座２５から離間して通水するので、消火栓１としての機能を確保することができる。また、弁体４０が弁棒３３に取り付けられるとき、弁体の取付方向を確認する手間が省けるので、作業効率を向上させることができる。さらに、弁体弁座４１が破損しても弁体４０を反転させて弁棒３３に取り付けると、予備弁体弁座４２が弁座２５に当接し、消火栓１としての機能は維持されるので、消火栓１の長寿命化を図ることができる。
【００２３】
放水部２は弁箱２０の流路２０ａ側に接続され、弁体４０が当接面２８に当接していないとき、流入部１０及び弁箱２０を経由した水を放水する。放水部２の先端（水を放水する部分）には、放水ホースを接続するための放水口２ａが形成されている。なお、弁体４０が当接面２８に当接し、放水部２から水を放水しないとき、放水口２ａは放水口キャップ３によって塞がれる。
【００２４】
蓋部３０は支持部３１を囲むように弁箱２０に取り付けられる。蓋部３０が弁箱２０に取り付けられたとき、蓋部３０は弁体４０を介して流入部１０に対向するように位置し、消火栓１の外部から弁箱２０の内部にゴミ等が混入するのを防止する。蓋部３０と弁箱２０との間にはＯリング等（不図示）が配置される。これにより、蓋部３０及び弁箱２０はシールされ、蓋部３０と弁箱２０との間から水が漏れるのを防止することができる。なお、蓋部３０は３つの角部３０ａを有する略三角形状であり、各角部３０ａはボルトで弁箱２０に固定されている。
【００２５】
図３は、図２における流入部１０及びその周辺の拡大図であり、流入部１０の構造を説明するために用いる図である。
【００２６】
図３の流入部１０は内壁１０ｃ（通過壁）、フランジ部１０ａを備える水道管側端部１０ｄ（第１の端部）、及び水道管側端部１０ｄとは異なる弁座側の端部であって流入部側端部２２に接続される流入部他端部１０ｅ（第２の端部）を備え、内壁１０ｃは内壁１０ｃに沿って螺旋状に形成される螺旋溝１０ｆを有する。本実施の形態では、螺旋溝１０ｆは内壁１０ｃに沿って螺旋状に２回巻回され、３回目の巻回が流入部他端部１０ｅ（流入部側端部２２）に対応するように終了する。
【００２７】
螺旋溝１０ｆは、例えば、Ｕ字形状の溝であり、開口部１１を有する。本実施の形態では、開口部１１は流入部１０が備える中心軸に向かって開口しているが、水道管側端部１０ｄよりも大きい流入部他端部１０ｅを有する略円錐台形状の流入部１０の内壁１０ｃに螺旋溝１０ｆが形成されている場合、当該螺旋溝１０ｆの開口部１１が弁箱２０に向かって開口するように形成されてもよい。
【００２８】
水道管を流れる水は、水道管側端部１０ｄから流入部１０の内部に流入し、流入部他端部１０ｅに向かって流れる。水道管側端部１０ｄから流入した水の流れる方向は、当初、流入部１０の中心軸の方向に大凡一致し、螺旋溝１０ｆ近傍においても、水は螺旋溝１０ｆを遮るように流入部１０の中心軸の方向に流れる。しかしながら、螺旋溝１０ｆ近傍を流れる水のうち内壁１０ｃに沿って流れる水は、例えば、互いに隣接する螺旋溝１０ｆの境界部分である螺旋溝１０ｆのエッヂに衝突し、螺旋溝１０ｆのエッヂを超えて流入部１０の中心軸の方向に流れるのではなく、螺旋溝１０ｆに沿って流れる。その後、螺旋溝１０ｆに沿って流れる水は、増加して流入部１０の中心軸の方向に流れる水を旋回する。その結果、流入部１０を流れる水は流入部１０の中心軸を中心に回転し、渦流になる。渦流状の水は流入部他端部１０ｅ及び流入部側端部２２を経由し、弁座２５に進む。弁座２５に進んだ渦流状の水は、弁体４０が弁座２５に当接しているとき、弁体４０で止水され、弁体４０が弁座２５に当接していないとき、弁箱２０の内部、具体的に、流路２０ａ及び止水機構構成部２０ｂに浸入する。したがって、渦流状の水は流入部１０及び流入部側端部２２を経由して弁座２５に進み、弁体４０が弁座２５に当接していないとき、弁座２５を通過するので、弁座２５に異物があっても当該異物は渦流状の水に浚われ、放水部２から放水される。
【００２９】
続いて、放水部２からの放水について説明する。まず、ユーザは放水部２の放水口キャップ３を取り外し、放水口２ａに消火に用いるホースを取り付ける。次いで、ユーザはキャップ３４を回転させる。キャップ３４が回転すると、弁棒３３は回転し、弁座２５に当接している弁体４０が移動して弁座２５から離間する。弁体４０が弁座２５から離間すると、水道管から供給された水は弁箱２０の内部、具体的に、流路２０ａ及び止水機構構成部２０ｂに浸入し、その後、放水部２に向かって流れ、放水口２ａから放水される。放水口２ａから放水された水は、放水口２ａに取り付けられたホースの内部を流れる。
【００３０】
また、放水口２ａからの放水を中止する場合、ユーザはキャップ３４を放水部２から放水するときとは反対方向に回転させる。キャップ３４が回転すると、弁棒３３は回転し、弁座２５から離間している弁体４０が移動して弁座２５に当接する。弁体４０が弁座２５に当接すると、弁体４０が水の流通を遮断し、放水口２ａからの放水は終了する。
【００３１】
弁体４０が移動して弁座２５に当接するとき、弁箱２０内部の水は流入部他端部１０ｅから流入部１０の内部に流入し、水道管側端部１０ｄに向かって流れる。このとき、流入部他端部１０ｅから水道管側端部１０ｄに流れる水は、水道管側端部１０ｄから流入部他端部１０ｅに流れる水と同様に、渦を巻きながら流れる。したがって、弁座２５に異物が堆積していても、当該異物は渦の中に引き込まれ、弁体４０が弁座２５に当接するとき、異物が弁座２５に堆積しない。
【００３２】
本実施の形態の消火栓１によれば、水道管に接続され且つ水道管を流れる水が流入する流入部１０の内壁１０ｃは、内壁１０ｃに沿って螺旋状に形成される螺旋溝１０ｆを有する。水道管から流入部１０に流入する水の流れる方向は、当初、流入部１０の中心軸の方向に大凡一致し、螺旋溝１０ｆ近傍においても、水は螺旋溝１０ｆを遮るように流入部１０の中心軸の方向に流れる。しかしながら、螺旋溝１０ｆ近傍を流れる水のうち内壁１０ｃに沿って流れる水は、例えば、互いに隣接する螺旋溝１０ｆの境界部分である螺旋溝１０ｆのエッヂに衝突し、螺旋溝１０ｆのエッヂを超えて流入部１０の中心軸の方向に流れるのではなく、螺旋溝１０ｆに沿って流れる。その後、螺旋溝１０ｆに沿って流れる水は流入部１０の中心軸の方向に流れる水を旋回する。その結果、流入部１０を流れる水は流入部１０の中心軸を中心に回転し、渦流になる。渦流状の水は、流入部１０及び流入部側端部２２を経由して弁座２５に進み、弁体４０が弁座２５に当接していないとき、弁座２５を通過するので、弁座２５に異物があっても当該異物は渦流に浚われ、放水部２から放水される。これにより、渦流状以外の水では弁座２５の異物を除去できないところ、螺旋溝１０ｆに基づいて発生した渦流によって弁座２５に異物が存在するのを回避することができるので、弁体４０及び弁座２５の間に異物が堆積することを抑制して弁体４０が弁座２５に当接したときに確実に止水することができる。
【００３３】
また、本実施の形態では、螺旋溝１０ｆが有する開口部１１は流入部１０が備える中心軸に向かって開口しているが、水道管側端部１０ｄよりも大きい流入部他端部１０ｅを有する略円錐台形状の流入部１０の内壁１０ｃに螺旋溝１０ｆが形成され、当該螺旋溝１０ｆの開口部１１が流入部１０の中心軸に関して弁箱２０側に開口するように形成されてもよい。これにより、開口部１１が流入部１０が備える中心軸に向かって開口している場合よりも螺旋溝１０ｆに沿って流れる水の量が増加するとともに、その水の流速は高速化するので、弁座２５に異物があっても弁座２５を通過する渦流が確実に異物を除去することができる。
【００３４】
さらに、弁座２５は流入部側端部２２に設けられる貫通孔を有する円環であり、弁体４０が当接する当接面２８、当接面２８の流入部１０側の弁座端部２６、及び当接面２８を介して弁座端部２６に対向する弁座他端部２７を備え、弁座端部２６で囲まれる円形領域の面積が弁座他端部２７で囲まれる円形領域の面積よりも小さい。これにより、当接面２８は鉛直方向に関して傾斜するようにテーパー状に構成されるので、弁座２５の当接面部２８上の異物の自重に基づく力は流入部１０に向かって作用する。その結果、渦流状の水は当接面部２８の上の異物を簡単且つ確実に除去することができる。
【００３５】
次に、本発明の第２の実施の形態について説明する。
【００３６】
本発明の第２の実施の形態は、その構成、作用が上述した第１の実施の形態と基本的に同じであり、流入部１０の構成、作用が本発明の第１の実施の形態と異なる。以下、重複した構成、作用については説明を省略し、異なる構成、作用についての説明を行う。
【００３７】
図４は、本発明の第２の実施の形態に係る消火栓５を説明するための図であり、図２に対応する図である。また、図５は、図４の消火栓５における流入部１０及びその周辺の拡大図であり、流入部１０の構造を説明するために用いる図である。
【００３８】
図４及び図５の流入部１０はその内部に螺旋状流路部１５を備える円筒であり、螺旋状流路部１５は、螺旋管部１６、流入口１７、及び吐出部１８を有する。螺旋管部１６はボルト３７に干渉しないように螺旋状に複数回巻回されたパイプであって、流入部１０の内壁１０ｃに、例えば、接着剤や溶接等によって接合されている。水道管から流入部１０に流入した水は螺旋管部１６の内部を通って流入部側端部２２に向けて流れる。本実施の形態では、螺旋管部１６は螺旋状に２回巻回され、３回目の巻回部分が流入部他端部１０ｅ（流入部側端部２２）に対応するように水平方向（弁棒３３に直交する方向）に切除されている。また、螺旋管部１６が２回巻回されると、螺旋管部１６の中央に中央空間１６ｅが形成される。中央空間１６ｅにはボルト３７が配置され、中央空間１６ｅの水道管側には後述の底板１７ａが配置されている。
【００３９】
図６は、図５における矢印Ｂの方向から消火栓５の底部を眺めた図であり、流入口１７及びその周辺を説明するための図である。
【００４０】
図６の消火栓１の底部は、その底部を塞ぐように円盤形状の底板１７ａが取り付けられるとともに、底板１７ａの一部が、例えば、円弧状に取り除かれて開口が形成されている。また、開口の縁部（図６中の１７ｄ）から弁箱２０側に向けて突出するように縦壁１７ｂが形成されるとともに、開口の縁部（図４中の１７ｅ）から弁箱２０側に向けてアーチ状の弧状壁１７ｃが形成され、縦壁１７ｂ及び弧状壁１７ｃは一体的に形成されている。また、弧状壁１７ｃの一部は流入部１０の内壁１０ｃに、例えば、接着剤や溶接等によって接合されている。すなわち、流入口１７は、底板１７ａに設けられた開口、縦壁１７ｂ及び弧状壁１７ｃから構成され、トンネルのような形状をしている。なお、縦壁１７ｂ及び弧状壁１７ｃの弁箱２０側には螺旋管部１６が配置されている。
【００４１】
流入部１７の弧状壁１７ｃの端部であって、縦壁１７ｂとは異なる端部には螺旋管部１６の一端（以下、「入口部１６ａ」という。）が接続されている。水道管から消火栓１の内部に流入する水は、まず、底板１７ａに設けられた開口を通過し、縦壁１７ｂや弧状壁１７ｃに衝突しながら入口部１６ａに到達する。すなわち、水道管から消火栓１の内部に流入する水は流入口１７から流入し、その水の流れは縦壁１７ｂや弧状壁１７ｃに衝突することによって図６における矢印Ｗ１の方向に決定される。その後、流入口１７から流入した水は螺旋管部１６の内部を通って流入部側端部２２に進む。
【００４２】
図７は、図５における矢印Ｃの方向から流入部１０の方向を眺めた図であり、吐出部１８及びその周辺を説明するための図である。
【００４３】
図７において、流入口１７から流入し、螺旋管部１６の内部を通って流入部側端部２２に向かって流れる水は、螺旋管部１６の他端（以下、「出口部１６ｂ」という。）から、図５における矢印Ｗ２の方向に排出される。螺旋管部１６（出口部１６ｂ）から排出された水は出口部１６ｂ及び流入部側端部２２の間に介在する吐出部１８に流入する。
【００４４】
吐出部１８は、出口部１６ｂに接続され、螺旋管部１６の一部が流入部他端部１０ｅに対応するように切除されている。したがって、出口部１６ｂ及び吐出部１８は連接されるとともに、パイプ形状がＵ字形状の溝に変化している。吐出部１８は弁棒３３に対して傾斜し、吐出部１８に流入した水は吐出部１８を駆け上がるように流れ、弁座２５に向かって流れ、弁体４０が弁座２５に当接しているとき、弁体４０で止水され、弁体４０が弁座２５に当接していないとき、弁座２５を経由して弁箱２０の内部、具体的に、流路２０ａ及び止水機構構成部２０ｂに浸入する。なお、吐出部１８は流入部１０の内壁１０ｃに、例えば、接着剤や溶接等によって弁座２５に連接されている。本実施の形態では、出口部１６ｂ及び吐出部１８は連接されているが、吐出部１８を設けず、出口部１６ｂが直接弁座２５の近傍に配置されてもよい。これにより、螺旋管部１６の内部を経由し且つ出口部１６ｂから排出する水を直接弁座２５に吹き付けることができる。
【００４５】
水道管から消火栓１の内部に供給される水が流入口１０を経由するとき、螺旋状に複数回巻回された螺旋管部１６を流れると、出口部１６ｂを出て吐出部１８に排出される水は渦を巻きながら流れるので、弁座２５に異物があっても、当該異物は吐出部１８から排出された水に浚われる。また、水の流路としての螺旋管部１６は螺旋状流路部１５を備えていない場合の水の流路よりも狭いため、螺旋管部１６の内部を通過する水の圧力は、螺旋状流路部１５を備えていない流入口１０を通過する水の圧力よりも高い。したがって、螺旋管部１６の内部を通過する水の流速は、螺旋状流路部１５を備えていない流入口１０を通過する水の流速よりも速く、弁座２５周辺を強い水勢をもって通過する。
【００４６】
また、消火栓５の放水が中止されるとき、弁体４０は弁座２５に近接するように移動して当接する。このとき、弁箱２０の内部の水は出口部１６ｂに流入しようとするので、弁体４０と吐出部１８との間の水圧は一時的に上昇し、弁座２５周辺の水の流動性が上昇する。その結果、弁座２５の当接面２８の上に異物が堆積していても、当該異物は出口部１６ｂに流入する水とともに、螺旋管部１６の内部に押し流される。すなわち、弁体４０及び弁座２５の間に異物が堆積することを抑制することができ、もって、弁体４０が弁座２５に当接して確実に止水することができる。
【００４７】
本実施の形態の消火栓５によれば、水道管からの水が流入する流入部１０は螺旋状流路部１５を備え、螺旋状流路部１５は螺旋状に複数回巻回された螺旋管部１６を有するので、流入部１０に流入した水は螺旋管部１６を流れ、螺旋管部１６の出口である出口部１６ｂから渦を巻くように排出する。このとき、螺旋管部１６の内部を通過する水の圧力は、螺旋状流路部１５を備えていない流入口１０を通過する水の圧力よりも高く、螺旋管部１６の内部を通過する水の流速は、螺旋状流路部１５を備えていない流入口１０を通過する水の流速よりも速い。そのため、弁座２５周辺を強い水勢をもって通過するので、弁座２５に異物があっても、当該異物は出口部１６ｂから排出された水に浚われる。すなわち、弁座２５に異物が存在するのを回避することができるので、弁体４０及び弁座２５の間に異物が堆積することを抑制して弁体４０が弁座２５に当接したときに確実に止水することができる。
【００４８】
また、吐出部１８は弁棒３３に対して傾斜しているので、出口部１６ｂから排出された水は吐出部１８を駆け上がるように流れた後に弁座２５に吹き付けられる。これにより、強い水勢が維持された水が弁座２５を洗浄するように流れるので、弁座２５に異物が存在しても当該異物を確実に除去することができる。
【００４９】
ところで、本実施の形態では、螺旋管部１６が螺旋状に複数回巻回されたパイプであることを前提に説明したが、螺旋状に複数回巻回されたＵ字形状の溝（以下、「螺旋状Ｕ字溝」という。）であってもよい。螺旋状Ｕ字溝が螺旋管部１６に代えて使用される場合、螺旋管部１６が使用される場合と比較して弁座２５周辺を通過する水の水勢は劣るが、弁座２５に異物が存在しても当該異物は除去され、螺旋管部１６が使用された場合と同様の効果が奏される。
【００５０】
なお、螺旋状Ｕ字溝を通過する水の一部は螺旋状Ｕ字溝から溢れる場合がある。溢れた水は、流入部１０を通過する水の水勢に影響され、例えば、水が流入口１７から流入して時間が経過して間もないとき、中央空間１６ｅを経由して底板１７ａに落下するが、例えば、水が流入口１７から流入して時間が経過し且つ流入部１７が充水状態のとき、流入部１０を通過する水とともに流入部側端部２２に進む。
【００５１】
また、本実施の形態では、流入口１７が底板１７ａに設けられた開口に接続されているが、底板１７ａを設けず、螺旋管部１６の入口部１６ａの形状が水道管側端部１０ｄに対応するように構成してもよい。この場合、螺旋管部１６の内部の寸法は入口部１６ａから出口部１６ｂにかけて小さくなるように変化する。
【００５２】
さらに、本実施の形態では、流入部１０と流入部１０の内部に配設される螺旋状流路部１５は別部材であることを前提としているが、例えば、流入部１０を加工して螺旋状流路部１５に対応するような螺旋状の水の流路を流入部１０の内部に形成してもよい。
【００５３】
以上、本発明について、上述した実施の形態を用いて説明したが、本発明は上述した実施の形態に限定されるものではない。
【符号の説明】
【００５４】
１      消火栓
１０    流入部
１０ｃ  内壁
１０ｆ  螺旋溝
１５    螺旋状流路部
１６    螺旋管部
１７    流入口
１８    吐出部
２５    弁座
【図１】
2018135907.tif 000003
【図２】
2018135907.tif 000004
【図３】
2018135907.tif 000005
【図４】
2018135907.tif 000006
【図５】
2018135907.tif 000007
【図６】
2018135907.tif 000008
【図７】
2018135907.tif 000009